(57)【特許請求の範囲】
【請求項１】
操作杆の先端部の回転軸に中心の通孔が挿通されて固定される円盤状の刈刃を備え、上記回転軸の回転により該刈刃で対象物を刈り払う刈払機に用いられる刈払機用アタッチメントにおいて、
上記刈払機は、上記回転軸に雄ネジが形成され、上記刈刃を上記回転軸に挿通し、次に、中心に挿通孔を有した押え部材を当該挿通孔を上記回転軸に挿通して取付け、最後に上記回転軸にナットを螺合することにより上記刈刃を保持するように構成され、
上記刈刃の下面側に着脱可能に取付けられ外周端により該刈刃の半径方向の切断深さを規定する該刈刃よりも小径の円盤体を備え、
上記円盤体の中央に上記回転軸が挿通される貫通孔を形成し、該円盤体をその貫通孔を上記回転軸に挿通して上記刈刃の下面側に付帯させ、上記押え部材及びナットにより上記刈刃とともに保持するようにし、
上記円盤体の下面外周に、凸条を突設し、
上記円盤体を樹脂で形成し、上記円盤体の凸条に、上記円盤体の外周方向に沿って金属を埋設したことを特徴とする刈払機用アタッチメント。
【請求項２】
上記請求項１記載の刈払機用アタッチメントを用いたことを特徴とする刈払機。
【発明の詳細な説明】
【技術分野】
【０００１】
本発明は、回転する円盤状の刈刃により、例えば、草や小木等の対象物を刈り払う刈払機に用いられ、刈刃の半径方向の切断深さを規定し、刈払機の操作者及びその周囲の人に、誤って、刈刃が当たったときに、刈刃のくい込みを最小限にする刈払機用アタッチメント及びこの刈払機用アタッチメントを用いた刈払機に関する。
【背景技術】
【０００２】
従来、刈刃の半径方向の切断深さを規定した刈払機としては、例えば、特許文献１（実開平６−１９４１９号公報）に記載されたものが知られている。
図６及び図７に示すように、刈払機Ｓａは、操作杆１０１及び操作杆１０１の先端部に設けられる回転軸に固定された刈刃１０２を備えている。この刈刃１０２の下面には、径が刈刃１０２よりも小径のドーナツ状の凸条１０４が刈刃１０２と一体に設けられている。そして、刈刃１０２を回転して刈刃１０２の外周で雑草等の対象物１００を刈払う。この場合、凸条１０４の外周端縁で刈刃１０２の半径方向の切断深さが規定されており、刈払機Ｓａの操作者及びその周囲の人に、誤って、刈刃１０２が当たったときに、凸条１０４の外周が切り口付近に当接するので、刈刃１０２のくい込みを最小限にできる。
【先行技術文献】
【特許文献】
【０００３】
【特許文献１】実開平６−１９４１９号公報
【発明の概要】
【発明が解決しようとする課題】
【０００４】
ところで、このような刈払機Ｓａにあっては、草を刈払うときは良いが、例えば、木の枝等比較的太い対象物を切断したいときは、刈刃１０２に凸条１０４が固定なので、凸条１０４が逆に邪魔になって切断できない。即ち、凸条１０４で規定する切断深さを越えて対象物を切断できないという問題があった。
【０００５】
本発明は上記の問題点に鑑みて為されたもので、刈刃の半径方向の切断深さを規定する部材を着脱可能にして汎用性の向上を図った刈払機用アタッチメント及びこの刈払機用アタッチメントを用いた刈払機を提供することを目的とする。
【課題を解決するための手段】
【０００６】
このような目的を達成するための本発明の刈払機用アタッチメントは、操作杆の先端部の回転軸に中心の通孔が挿通されて固定される円盤状の刈刃を備え、上記回転軸の回転により該刈刃で対象物を刈り払う刈払機に用いられる刈払機用アタッチメントにおいて、上記刈刃の下面側に着脱可能に取付けられ外周端により該刈刃の半径方向の切断深さを規定する該刈刃よりも小径の円盤体を備えた構成としている。
【０００７】
これにより、雑草等のように比較的切断深さが小さくても切断可能な対象物を刈払うときには、円盤体を取付けて回転軸を回転し、刈刃を対象物にあてて、これを刈払っていく。この際、円盤体の外周端縁で刈刃の半径方向の切断深さが規定され、誤って、刈払機の操作者及びその周囲の人に刈刃が当たったとしても、円盤体の外周端縁が当接するので、刈刃のくい込みを最小限にできる。また、その後、例えば、比較的太い枝等の大きい対象物を切断する場合、特に、円盤体で規定された切断深さを越えて切断したい場合には、円盤体を取外して、この状態で、回転軸を回転させて対象物を切断していく。その後、再び雑草等を刈払う場合には、円盤体を取付けてこれらを刈払う。
【０００８】
即ち、切断深さを規定する円盤体の取付け及び取外しができるので、雑草等のように比較的切断深さが小さくても切断可能な対象物を刈払うときには、円盤体を取付けてこれらを切断し、比較的太い枝等の大きい対象物を切断するときには、円盤体を取外してこれらを切断する。そのため、比較的切断深さが小さくても切断可能な対象物、比較的太い枝等の大きい対象物のどちらにも対応することができ、汎用性を向上させることができる。
【０００９】
そして、必要に応じ、上記刈払機は、上記回転軸に雄ネジが形成され、上記刈刃を上記回転軸に挿通し、次に、中心に挿通孔を有した押え部材を当該挿通孔を上記回転軸に挿通して取付け、最後に上記回転軸にナットを螺合することにより上記刈刃を保持するように構成され、上記円盤体の中央に上記回転軸が挿通される貫通孔を形成し、該円盤体をその貫通孔を上記回転軸に挿通して上記刈刃の下面側に付帯させ、上記押え部材及びナットにより上記刈刃とともに保持するようにしている。
【００１０】
これにより、円盤体を取付けるときは、刈刃，円盤体及び押え部材を順に回転軸に挿通し、ナットを回転軸に螺合して押え部材で刈刃及び円盤体を保持する。また、円盤体で規定された切断深さを越えて切断したい場合には、回転軸に螺合したナットを緩めて押え部材を取外し、円盤体を回転軸から引き抜き、押え部材を回転軸に挿通しナットを回転軸に螺合して押え部材で刈刃を保持する。これにより、簡易な構造で円盤体を取付け及び取外しができる。また、円盤体以外の部材がないので、部品点数を少なくでき、製造コストを低減することができる。
【００１１】
また、必要に応じ、上記円盤体の下面外周に、凸条を突設した構成としている。
これにより、円盤体の下面外周に、凸条が突設され、この凸条で高くなった円盤体の外終端縁が対象物に当接するので、刈刃の切断深さの規定を確実に行なうことができる。
【００１２】
更に、必要に応じ、上記円盤体を樹脂で形成している。樹脂は、比較的加工が容易であることから、円盤体の製造を容易に行なうことができる。
【００１３】
更にまた、必要に応じ、上記円盤体を樹脂で形成し、上記円盤体の凸条に、上記円盤体の外周方向に沿って金属を埋設した構成としている。
これにより、円盤体の凸条が補強され、例えば、円盤体の凸条の頂部と地面とが擦れあっても、凸条が削られる等の損傷を軽減することができる。
【００１４】
そして、上記課題を解決するための本発明の刈払機は、上記の刈払機用アタッチメントを用いた構成としている。
上記の刈払機用アタッチメントにおいては、円盤体の取付け及び取外しを行なうことができる。これにより、雑草等のように比較的切断深さが小さくても切断可能な対象物を刈払うときには、円盤体を取付けてこれらを切断し、比較的太い枝等の大きい対象物を切断するときには、円盤体を取外してこれらを切断する。そのため、比較的切断深さが小さくても切断可能な対象物、比較的太い枝等の大きい対象物のどちらにも対応することができ、汎用性を向上させることができる。
【発明の効果】
【００１５】
本発明の刈払機用アタッチメント及び刈払機によれば、切断深さを規定する円盤体の取付け及び取外しができるので、雑草等のように比較的切断深さが小さくても切断可能な対象物を刈払うときには、円盤体を取付けてこれらを切断し、比較的太い枝等の大きい対象物を切断するときには、円盤体を取外してこれらを切断する。そのため、比較的切断深さが小さくても切断可能な対象物、比較的太い枝等の大きい対象物のどちらにも対応することができ、汎用性を向上させることができる。
【図面の簡単な説明】
【００１６】
【図１】本発明の実施の形態に係る刈払機用アタッチメントを取り付けた刈払機を示す斜視図である。
【図２】本発明の実施の形態に係る刈払機用アタッチメント及びこれを用いた刈払機を示す分解斜視図である。
【図３】本発明の実施の形態に係る刈払機用アタッチメントを刈払機に取り付けた状態で示す断面図である。
【図４】本発明の実施の形態に係る刈払機用アタッチメントを刈払機に取り付けた状態で示す下から見た斜視図である。
【図５】本発明の実施の形態に係る刈払機用アタッチメントが用いられる刈払機を示す断面図である。
【図６】従来の刈払機の一例を示す図である。
【図７】従来の刈払機の刈刃の一例を示す断面図である。
【発明を実施するための形態】
【００１７】
以下、添付図面に基づいて、本発明の実施の形態に係る刈払機用アタッチメント及び刈払機について詳細に説明する。
【００１８】
図１乃至図５に示すように、刈払機用アタッチメントＭが用いられる刈払機Ｓは、操作杆１及び操作杆１の先端部１ａに設けられた回転軸３に固定された刈刃２を備えている。回転軸３は、その基端側に回転軸３と同動する座５が設けられ、その先端側には雄ネジ３ａが形成されている。座５の中央には、回転軸３と同軸に設けられた円形の凸部５ａが突出形成されている。刈刃２には、外周に鋸刃状の刃２ａが形成されている。また、刈刃２の中心には、通孔６が設けられている。また、刈刃２の通孔６には、回転軸３が挿通されるとともに、凸部５ａが嵌入させられる。図５に示すように、この刈払機Ｓにおいて、刈刃２の回転軸３に対する固定は、刈刃２を座５に保持する押え部材１０及びナット１２で行なわれる。押え部材１０の中心には回転軸３に挿通される挿通孔１１が形成されている。押え部材１０は座金で構成されて良い。
【００１９】
そして、図５に示すように、回転軸３に刈刃２の通孔６を挿通し、押え部材１０の挿通孔１１を挿通し、回転軸３の雄ネジ３ａにナット１２を螺合することにより押え部材１０及びナット１２で刈刃２が回転軸３に保持されて取付けられる。尚、回転軸３は、図示しないが、操作杆１の内部に挿通された伝達軸を介し、エンジン等からの動力が伝達されて回転方向Ｒ１に回転させられる。
【００２０】
図１乃至図４に示すように、刈払機Ｓに用いられるアタッチメントＭは、刈刃２の下面７側に着脱可能に取付けられ外周端により刈刃２の半径方向の切断深さｈを規定する刈刃２よりも小径の円盤体２０を備えている。
円盤体２０は、樹脂で形成され、円盤体２０の下面２５外周に、凸条２１が突設されている。円盤体２０の凸条２１には、円盤体２０の外周方向に沿って金属２２が埋設されている。樹脂は、比較的加工が容易であることから、円盤体２０の製造を容易に行なうことができる。金属２２は、リング状に形成されており、凸条２１の頂部の凹溝２３に埋設される。更に、円盤体２０の一般部には、円盤体２０の軽量化のための複数の孔２８が設けられている。また、円盤体２０の中央には、回転軸３に挿通される貫通孔６２が形成されている。
【００２１】
この円盤体２０は、回転軸３に、円盤体２０をその貫通孔６２を挿通して刈刃２の下面７側に付帯させ、押え部材１０をその挿通孔１１を回転軸３に挿通して取付け、回転軸３の雄ネジ３ａにナット１２を螺合することにより押え部材１０及びナット１２で刈刃２とともに保持されて取付けられる。これにより、このアタッチメントＭは、簡易な構造で円盤体２０を取付け及び取外しができる。また、円盤体２０以外の部材がないので、部品点数を少なくでき、製造コストを低減することができる。
【００２２】
従って、この刈払機Ｓを用いる場合には以下のようにする。雑草等のように比較的切断深さが小さくても切断可能な対象物を刈払うときには、図１乃至図４に示すように、ナットを緩めて押え部材１０を回転軸３から取外し、回転軸３に円盤体２０の貫通孔６２を挿通する。次に、回転軸３を押え部材１０の挿通孔１１に挿通し、ナット１２を回転軸３の雄ネジ３ａに螺合し、押え部材１０で刈刃２及び円盤体２０を座５側に押し付けてこれらを押圧保持する。そして、回転軸３を回転し、刈刃２の鋸刃状の刃２ａを対象物にあてて、これを刈払っていく。
【００２３】
この場合、円盤体２０の外周端縁で刈刃２の半径方向の切断深さｈが規定され、誤って、刈払機Ｓの操作者及びその周囲の人に刈刃２が当たったとしても、円盤体２０の外周端縁が当接するので、刈刃２のくい込みを最小限にできる。
更に、円盤体２０の下面２５外周に、凸条２１が突設され、切断する対象物の側面に凸条２１で高くなった円盤体２０の外周端縁が当接するので、刈刃２の切断深さｈの規定を確実にできる。また、円盤体２０の凸条２１には、金属が埋設されているので、円盤体２０の凸条２１が補強され、例えば、円盤体２０の凸条２１の頂部が地面に擦れても、凸条２１が削られる等の損傷を軽減することができる。
【００２４】
また、例えば、円盤体２０で規定された切断深さｈを越えて切断するような、比較的太い枝等の大きい対象物を切断する場合には、図５に示すように、刈払機Ｓの回転軸３の回転を止めた状態で、ナット１２を緩めて押え部材１０を取外し、円盤体２０を回転軸３から抜く。次に、押え部材１０の挿通孔１１に回転軸３を挿通し、ナット１２を回転軸３に螺合して押え部材１０で刈刃２を保持する。この状態で、回転軸３を回転して対象物を切断する。この際、円盤体２０が取外されているので、切断深さを大きくでき、比較的太い枝のようなものでも容易に切断できる。
その後、再び、雑草等を刈払う場合には、上記と同様にして円盤体２０を取付ける。
【符号の説明】
【００２５】
Ｍ  刈払機用アタッチメント
Ｓ  刈払機
１  操作杆
１ａ  先端部
２  刈刃
３  回転軸
３ａ  雄ネジ
５  座
５ａ  凸部
６  通孔
７  刈刃の下面
２０  円盤体
２１  凸条
２２  金属
２８  孔
Ｒ１  刈刃の回転方向
６２  貫通孔
【図１】
0004413985.tif 000002
【図２】
0004413985.tif 000003
【図３】
0004413985.tif 000004
【図４】
0004413985.tif 000005
【図５】
0004413985.tif 000006
【図６】
0004413985.tif 000007
【図７】
0004413985.tif 000008